(57)【要約】    【課題】  本発明の目的は、汎用の撮像素子などの一般的な部品を用いて、コンピュータなどのディジタル画像入力装置に好適な、安価な静止画記録ディジタルカメラを提供することにある。    【解決手段】  一般的な撮像素子を用い、撮像素子から出力される信号をメモリに記録し、再生時にディジタル映像信号を出力する。また、静止画撮像時には撮像素子の駆動方法を変えて画素の信号を混合せずに読み出し、信号処理回路に静止画の映像信号が入力されたときに信号処理の内容を静止画用に切り替える。本発明によれば、一般的な撮像素子を用いて少ないメモリ容量で静止画の記録及び再生ができるので、安価な静止画記録撮像装置を供給することができる。    【選択図】  図１
2004357333.tif 000002
【特許請求の範囲】
【請求項１】
入射光を遮断できる光量制限手段と、入射光を光電変換する画素を有し、該画素の信号をディジタル映像信号として出力する撮像手段と、所定のフォーマットのディジタル映像信号を生成する信号処理回路と、上記撮像手段または上記信号処理回路から出力される静止画のディジタル映像信号を記録する記録手段を有し、上記光量制限手段は入射光量を所定量に制限したのちに入射光を遮断し、上記撮像手段は上記光量制限手段で入射光量を所定量に制限している時には動画のディジタル映像信号を出力し、遮断したのちに静止画のディジタル映像信号を出力し、上記信号処理回路は上記動画のディジタル映像信号が供給された時と静止画のディジタル映像信号が供給された時とで異なる信号処理を行なうことを特徴とする静止画記録ディジタルカメラ。
【請求項２】
上記信号処理回路は輝度信号または色信号を生成するマトリクス回路を有し、上記動画のディジタル映像信号が供給された時と静止画のディジタル映像信号が供給された時とで上記マトリクス回路の係数を切り替えることを特徴とする請求項１に記載の静止画記録ディジタルカメラ。
【請求項３】
入射光量を制限できる光量制限手段と、入射光を所定の露光時間だけ光電変換する画素を有し、該画素の信号をディジタル映像信号として出力する撮像手段と、所定のフォーマットのディジタル映像信号を生成する信号処理回路と、上記撮像手段または上記信号処理回路から出力される静止画のディジタル映像信号を記録する記録手段とを有し、上記光量制限手段が所定の制限量で光量を制限した入射光を、上記撮像手段は所定の露光時間だけ光電変換して動画のディジタル映像信号を出力し、上記信号処理回路が上記動画のディジタル映像信号に所定の信号処理を施している時の上記制限量、上記露光時間または上記信号処理のいずれかの情報を上記記録手段または該記録手段とは異なる記録手段に記録し、上記光量制限手段で入射光を遮断するまでの時間、または上記光量制限手段で入射光を遮断したのちに上記撮像手段から出力される静止画のディジタル映像信号の露光時間、あるいは上記信号処理回路で上記静止画のディジタル映像信号に施す信号処理を、上記記録手段または該記録手段とは異なる記録手段に記録した情報で制御することを特徴とする静止画記録ディジタルカメラ。
【請求項４】
上記信号処理回路は利得可変回路を含むホワイトバランス回路を有し、上記利得可変回路の利得を上記記録手段または該記録手段とは異なる記録手段に記録することを特徴とする請求項３に記載の静止画記録ディジタルカメラ。
【請求項５】
入射光を遮断できる光量制限手段と、入射光を光電変換する画素を有し、該画素の信号をディジタル映像信号として出力する撮像手段と、所定のフォーマットのディジタル映像信号を生成する信号処理回路と、上記撮像手段または上記信号処理回路から出力される静止画のディジタル映像信号を記録する記録手段を有し、上記光量制限手段は入射光量を所定量に制限したのちに入射光を遮断し、上記撮像手段は上記光量制限手段で入射光量を所定量に制限している時には動画のディジタル映像信号を出力し、遮断したのちに静止画のディジタル映像信号を出力し、上記信号処理回路は供給された上記静止画のディジタル映像信号から生成した輝度信号と色差信号、またはＲＧＢ信号、あるいは供給された上記静止画のディジタル映像信号を、パラレルまたはシリアルのディジタル信号で出力することを特徴とする静止画記録ディジタルカメラ。
【請求項６】
上記光量制限手段が所定の制限量で光量を制限した入射光を、上記撮像手段は所定の露光時間だけ光電変換して動画のディジタル映像信号を出力し、上記信号処理回路が上記動画のディジタル映像信号に所定の信号処理を施している時の上記制限量、上記露光時間または上記信号処理のいずれかの情報が複数フィールドにわたって所定の変動範囲内に収まった後か、または上記記録手段に静止画のディジタル映像信号を記録し終えた後に、上記記録手段に静止画のディジタル映像信号が記録可能であることを表示する表示手段を有することを特徴とする請求項１、２、３、４または５に記載の静止画記録ディジタルカメラ。
【請求項７】
上記光量制限手段が所定の制限量で光量を制限した入射光を、上記撮像手段は所定の露光時間だけ光電変換して動画のディジタル映像信号を出力し、上記信号処理回路が上記動画のディジタル映像信号に所定の信号処理を施している時の上記制限量、上記露光時間または上記信号処理のいずれかの情報が複数フィールドにわたって所定の変動範囲内に収まで、または上記記録手段に静止画のディジタル映像信号を記録し終えるまで、上記記録手段に静止画のディジタル映像信号が記録不可能であることを表示する表示手段を有することを特徴とする請求項１、２、３、４または５に記載の静止画記録ディジタルカメラ。
【請求項８】
釦などの可動部と、記録再生制御回路を有し、上記可動部を動かすことにより上記記録再生制御回路から記録開始制御信号を出力し、上記記録手段に静止画のディジタル映像信号の記録を開始する静止画記録ディジタルカメラであって、上記光量制限手段が所定の制限量で光量を制限した入射光を、上記撮像手段は所定の露光時間だけ光電変換して動画のディジタル映像信号を出力し、上記信号処理回路が上記動画のディジタル映像信号に所定の信号処理を施している時の上記制限量、上記露光時間または上記信号処理のいずれかの情報が複数フィールドにわたって所定の変動範囲内に収まで、または上記記録手段に静止画のディジタル映像信号を記録し終えるまで、上記可動部の可動量を制限することを特徴とする請求項１、２、３、４または５に記載の静止画記録ディジタルカメラ。
【請求項９】
入射光を遮断できる光量制限手段と、入射光を光電変換する画素を有し、該画素の信号をディジタル映像信号として出力する撮像手段と、所定のフォーマットのディジタル映像信号を生成する信号処理回路と、上記撮像手段または上記信号処理回路から出力されるディジタル映像信号を記録する記録手段を有し、上記撮像手段は上記光量制限手段で入射光を遮断したのちに静止画のディジタル映像信号を出力し、上記信号処理回路は上記撮像手段または上記記録手段から供給される静止画のディジタル映像信号を内挿補間することを特徴とする静止画記録ディジタルカメラ。
【請求項１０】
上記撮像手段は水平方向Ｐｘ、垂直方向Ｐｙ（Ｐｘ≠Ｐｙ）の間隔で画素が配されており、上記信号処理回路は供給された静止画のディジタル映像信号を水平方向に内挿補間し、水平方向Ｎ個のディジタル映像信号から略Ｎ×Ｐｘ／Ｐｙ個のディジタル映像信号を生成することを特徴とする請求項９に記載の静止画記録ディジタルカメラ。
【請求項１１】
上記撮像手段は水平方向Ｐｘ、垂直方向Ｐｙ（Ｐｘ≠Ｐｙ）の間隔で画素が配されており、上記信号処理回路は供給された静止画のディジタル映像信号を垂直方向に内挿補間し、垂直方向Ｍ個のディジタル映像信号から略Ｍ×Ｐｙ／Ｐｘ個のディジタル映像信号を生成することを特徴とする請求項９に記載の静止画記録ディジタルカメラ。
【請求項１２】
入射光を遮断できる光量制限手段と、複数種類の分光特性のうちのいずれか１つの分光特性で入射光を光電変換する複数種類の画素を有し、該画素の信号をディジタル映像信号として出力する撮像手段と、所定のフォーマットのディジタル映像信号を生成する信号処理回路と、上記撮像手段または上記信号処理回路から出力されるディジタル映像信号を記録する記録手段を有し、上記撮像手段は上記光量制限手段で入射光を遮断したのちに上記画素の信号をそれぞれ独立した画素信号として出力し、上記記録手段は上記独立した画素信号を記録し、上記信号処理回路は上記記録手段に記録した上記独立した画素信号から所定のフォーマットのディジタル映像信号を生成することを特徴とする静止画記録ディジタルカメラ。
【請求項１３】
入射光を遮断できる光量制限手段と、複数種類の分光特性のうちのいずれか１つの分光特性で入射光を光電変換する複数種類の画素を有し、該画素の信号をディジタル映像信号として出力する撮像手段と、所定のフォーマットのディジタル映像信号を生成する信号処理回路と、上記撮像手段または上記信号処理回路から出力されるディジタル映像信号を記録する記録手段と、記録再生制御回路とを有し、該記録再生制御回路は上記光量制限手段で入射光を遮断したのちに上記撮像手段から上記画素の信号をそれぞれ独立した画素信号として出力するか、あるいは複数画素の信号を混合して混合画素信号として出力するかを制御し、上記記録手段には上記独立した画素信号か上記混合画素信号のいずれかを記録し、上記信号処理回路は上記記録手段に記録した上記独立した画素信号あるいは上記混合画素信号から所定のフォーマットのディジタル映像信号を生成することを特徴とする静止画記録ディジタルカメラ。
【請求項１４】
独立した画素信号あるいは混合画素信号のいずれの画素信号が記録されているかを識別するための識別信号を上記記録手段に記録することを特徴とする請求項１３に記載の静止画記録ディジタルカメラ。
【請求項１５】
独立した画素信号あるいは混合画素信号のいずれの画素信号を記録するかを表示するための表示手段を有することを特徴とする請求項１３または１４に記載の静止画記録ディジタルカメラ。
【請求項１６】
上記記録手段に記録可能な静止画の枚数を表示するための表示手段を有することを特徴とする請求項１３、１４または１５に記載の静止画記録ディジタルカメラ。
【請求項１７】
上記撮像手段または上記撮像手段から上記記録手段にいたるまでの信号伝達経路に非線形の入出力特性を有する回路を配したことを特徴とする請求項１２、１３、１４、１５または１６に記載の静止画記録ディジタルカメラ。
【請求項１８】
上記記録手段はバッファメモリとメインメモリを有し、上記バッファメモリに上記静止画のディジタル映像信号を書き込む動作周波数より低い動作周波数で、上記バッファメモリから上記静止画のディジタル映像信号を読み出して上記メインメモリに書き込むことを特徴とする請求項９、１０、１１、１２、１３、１４、１５、１６または１７に記載の静止画記録ディジタルカメラ。
【請求項１９】
入射光を遮断できる光量制限手段と、入射光を光電変換する画素を有し、該画素の信号をディジタル映像信号として出力する撮像手段と、所定のフォーマットのディジタル映像信号を生成する信号処理回路と、上記撮像手段または上記信号処理回路から出力されるディジタル映像信号を記録する記録手段を有し、上記撮像手段は上記光量制限手段で入射光を遮断したのちに静止画のディジタル映像信号を出力し、上記信号処理回路は上記撮像手段または上記記録手段から供給される静止画のディジタル映像信号よりＲＧＢ信号を生成することを特徴とする静止画記録ディジタルカメラ。
【請求項２０】
入射光を遮断できる光量制限手段と、入射光を光電変換する画素を有し、該画素の信号をディジタル映像信号として出力する撮像手段と、所定のフォーマットのディジタル映像信号を生成する信号処理回路と、上記撮像手段または上記信号処理回路から出力されるディジタル映像信号を記録する記録手段を有し、上記撮像手段は上記光量制限手段で入射光を遮断したのちに静止画のディジタル映像信号を出力し、上記信号処理回路は上記撮像手段または上記記録手段から複数回供給される静止画のディジタル映像信号より面順次でＲＧＢ信号を生成することを特徴とする静止画記録ディジタルカメラ。
【請求項２１】
上記信号処理回路は輝度信号を生成する第１の輝度マトリクス回路とＲＧＢ信号を生成するＲＧＢマトリクス回路と、該ＲＧＢマトリクス回路から出力されるＲＧＢ信号から低域の輝度信号を生成する第２の輝度マトリクス回路を有し、上記記録手段に記録されたディジタル映像信号が供給された時に上記第２の輝度マトリクス回路はＲ信号、Ｇ信号、Ｂ信号のうちいずれか１つの信号を出力し、上記第１の輝度マトリクス回路から出力される輝度信号に合成することを特徴とする請求項１９または２０に記載の静止画記録ディジタルカメラ。
【発明の詳細な説明】
【技術分野】
【０００１】
本発明はディジタルカメラに係り、特にコンピュータなどの映像入力手段に好適な静止画の記録再生方法に関する。
【背景技術】
【０００２】
ビデオカメラは、信号処理のディジタル化に伴ない、多種多様な機能が開発されている一方で、ディジタルの映像信号を容易に出力できることから、コンピュータなどの映像入力手段として注目されつつある。映像入力手段としてのディジタルカメラに民生用のカメラ一体型ＶＴＲのカメラ部で用いられている部品をできるだけ多く用いることにより、低価格の映像入力手段を供給することができるが、現在はラインスキャナーなどの特殊な映像入力手段が供給されているに留まっている。
【発明の開示】
【発明が解決しようとする課題】
【０００３】
低価格の映像入力手段を供給するための重要な課題として、以下の５つの項目がある。
【０００４】
（１）自動制御系を静止画にも対応できるようにする…一般的なビデオカメラでは映像信号を用いて露光制御やホワイトバランス制御を行なっている。すなわち、照度や色温度などを検出する検出器を別個には有しておらず、映像信号から検出してそれぞれの制御部にフィードバックしている。しかしながら、静止画の映像信号から検出しても、検出した静止画にフィードバックできない。
【０００５】
（２）一般的な撮像素子を用いてフレームの静止画を生成できるようにする…一般的な撮像素子は、画素の信号を一度しか読み出せない破壊読み出しであり、しかも垂直方向に隣接する２つの画素の信号を混合して読みだす画素混合方式である。上記読み出し方式のままで信号処理を行なうと、画素数に見合った解像度の静止画は生成できない。
【０００６】
（３）汎用の撮像素子を使用できるようにする…映像信号をコンピュータに取り込んだあとに、グラフィック上で画像に回転などの操作を加えることがあり、この時に画像に歪みが生じないようにする必要がある。そのためには撮像被写体を、水平、垂直方向で等しい空間的なサンプリングピッチで光電変換すれば良い。すなわち、水平、垂直方向に等しい距離で配された画素を有する撮像素子を用いれば良い。しかしながら、民生用のカメラ一体型ＶＴＲのカメラ部で一般的に用いられている撮像素子は、画素が水平、垂直方向に異なったピッチで配されている。
【０００７】
（４）静止画を記録する記録手段の容量をできるだけ小さくする…コンピュータに取り込む一般的な映像信号であるＲＧＢ信号で静止画を記録すると、Ｒ、Ｇ、Ｂそれぞれにアドレスが必要であり、記録容量が大きくなってしまう。
【０００８】
（５）画像出力は、ディジタルＲＧＢ信号で出力する…コンピュータに取り込む一般的な映像信号フォーマットは、ディジタルＲＧＢ信号である。しかしながら、一般的な民生用のカメラ一体型ＶＴＲから出力される信号は、コンポジットまたは、Ｙ／Ｃ信号のアナログ信号フォーマットであり、ディジタルＲＧＢ信号を得るためには、上記アナログ信号をディジタルＲＧＢ信号に変換する信号変換回路を新たに設けなければならない。
【課題を解決するための手段】
【０００９】
上記（１）の問題点を解決する手段として、動画撮像時の検出結果を記憶しておき、その検出結果を基に静止画を生成する。
【００１０】
また、上記（２）の問題点を解決する手段として、静止画撮像時には撮像素子の駆動方法を変えて画素の信号を混合せずに読み出し、信号処理回路に静止画の映像信号が入力されたときに信号処理の内容を静止画用に切り替える。
【００１１】
また、上記（３）の問題点を解決する手段として、補間演算を行なう信号補間回路を設け、画素が水平、垂直方向に異なったピッチで配されている一般的な撮像素子を有する撮像手段から出力される映像信号に補間演算を施し、水平、垂直方向で等しい空間的なサンプリングピッチの映像信号を生成する。
【００１２】
また、上記（４）の問題点を解決する手段として、記録手段に記録する時には撮像手段から出力される映像信号に輝度信号処理や色信号処理などの処理を施さずに記録する。一般的な撮像素子を有する撮像手段からは、いわゆる補色の映像信号が出力されるので、記録手段から出力された映像信号に輝度信号処理や色信号処理などの処理を施す。
【００１３】
また、上記（５）の問題点を解決する手段として、上記撮像手段または上記信号処理回路から出力される信号を上記記録手段に記録し、上記記録手段は記録した映像信号を複数回出力し、上記信号処理回路は上記記録手段から出力される信号に応じてマトリクス係数をＲ信号用、Ｇ信号用、Ｂ信号用に変更し、面順次にＲＧＢ信号を生成する。
【発明の効果】
【００１４】
本発明によれば、照度や色温度などを検出する検出器を必要とせず、一般的な撮像素子を用いて静止画の映像信号を生成できるので、安価な映像入力手段を供給することができる。
【００１５】
本発明によれば、少ない記憶容量の記録手段と一般的な撮像素子を用いて水平、垂直方向で等しい空間的なサンプリングピッチの映像信号を生成できるので、安価な映像入力手段を供給することができる。
【００１６】
本発明によれば、メモリ等の記録手段と一般的な撮像素子を用いて静止画のＲＧＢ信号を生成できるので、安価な映像入力手段を供給することができる。
【発明を実施するための最良の形態】
【００１７】
以下、本発明を図を用いて説明する。
【００１８】
図１は本発明の第１の実施例に係る撮像装置の構成図である。同図において１０１はレンズ、１０２はシャッタ、１０３はシャッタ制御回路、１０４は撮像素子、１０５は駆動回路、１０６はアンプ、１０７はＡ／Ｄ変換器、１０８はメモリ、１０９はメモリ制御回路、１１０は記録／再生制御回路、１１１はシャッタボタン、１１２は再生ボタン、１１３は選択回路、１１４は信号処理回路、１１５は信号処理制御回路、１１６はビューファインダ、１１７はＦｕｌｌ／Ｅｃｏｎｏｍｙ切り換えスイッチであり、撮像素子１０４の具体例を図２に示す。図２において２０１はホトダイオード、２０２は垂直ＣＣＤ、２０３は水平ＣＣＤであり、ｇｒ、ｍｇ、ｃｙ、ｙｅは、ホトダイオード２０１の各々に配された色フィルタで、ｇｒはグリーン、ｍｇはマゼンタ、ｃｙはシアン、ｙｅはイエローの色フィルタであることを示す。上記のような色フィルタが配されたホトダイオードは一般に画素と呼ばれている。上記構成において、レンズ１０１を通して入力された光は、シャッタ制御回路１０３により絞り値Ｆが制御されたシャッタ１０２を通して撮像素子１０４に入力され、撮像素子１０４の表面に配された図２に示すホトダイオード２０１によって光電変換された信号電荷は、垂直ＣＣＤ２０２を経由して水平ＣＣＤ２０３に転送され駆動回路１０５より供給される水平走査パルスに同期して電圧変換され出力される。
【００１９】
まず、動画撮影時の動作を説明する。撮像素子１０４は、特開昭６３−１１４４８７号公報「固体カラーカメラ」に記載されているように、垂直方向に隣接する２つの画素信号を混合して読み出す、いわゆる画素混合方式で信号を読み出す。以下、図３を用いて画素混合読み出しの説明をする。
【００２０】
図３は、画素混合読み出し時における垂直転送パルスと、垂直ＣＣＤ２０２における信号電荷の転送のタイミングチャートを示したものである。同図において垂直転送パルス１の３値パルスが高レベルになることでｇｒ、ｍｇの行のホトダイオード２０１から、垂直転送パルス３の３値パルスが高レベルになることでｃｙ、ｙｅの行のホトダイオード２０１からそれぞれ垂直ＣＣＤ２０２に信号電荷が転送される。垂直ＣＣＤ２０２に転送された信号電荷は、図３に示す通りに垂直ＣＣＤ２０２内で混合され、水平ＣＣＤ２０３に転送される。
【００２１】
撮像素子１０４の出力信号は、アンプ１０６によって増幅され、Ａ／Ｄ変換器１０７に入力される。Ａ／Ｄ変換器１０７に入力された信号は、駆動回路より供給されるタイミングパルスでサンプリングされてディジタル信号に変換される。
Ａ／Ｄ変換器１０７によりディジタル信号に変換された信号は、選択回路１１３によって信号処理回路１１４内に入力される。信号処理回路１１４は、ガンマ補正やホワイトバランス補正等の一般的な信号処理を行ない、輝度信号、色（ＲＧＢ）信号などを生成する。
【００２２】
次に、静止画を記録する動作を説明する。
【００２３】
上記構成において、シャッタボタン１１１を押すことにより記録／再生制御回路１１２からシャッタクローズの制御信号がシャッタ制御回路１０３に入力され、シャッタ制御回路１０３によってシャッタ１０２は、所定の時間後にクローズ状態となる。シャッタ１０２がクローズ状態となるまでに撮像素子１０４に入力された光は、撮像素子１０４に配されたホトダイオード２０１によって光電変換され、シャッタ１０２がクローズ状態の間に垂直ＣＣＤ２０２を経由して水平ＣＣＤ２０３へ転送し、駆動回路１０５より供給される水平走査パルスに同期して電圧変換されて出力される。この時、撮像素子１０４は、ホトダイオード２０１から１度信号を読み出すと、ホトダイオード２０１に信号が残らない、いわゆる破壊読み出しであるので、動画の読み出しと同様に画素混合読み出しをすると、フレームの情報が失われてしまう。垂直方向の解像度を劣化させずに静止画を得るために、以下に示す独立読み出しを行なう。
【００２４】
図４は、独立読み出し時における垂直転送パルスと、垂直ＣＣＤ２０２における信号電荷の転送のタイミングチャートを示したものである。同図において垂直転送パルス１、及び垂直転送パルス３の３値パルスが高レベルになる周期は、図４に示す通り１フィールドおきである。よって垂直転送パルス１の３値パルスが高レベルになるフィールドでは、ｇｒ、ｍｇの行のホトダイオード２０１からのみ信号電荷が垂直ＣＣＤ２０２に転送され、次の１フィールドでは、垂直転送パルス３の３値パルスが高レベルになることで、ｃｙ、ｍｇの行のホトダイオード２０１からのみ垂直ＣＣＤ２０２に信号電荷が転送される。垂直ＣＣＤに２０２転送された信号電荷は、１フィールド期間ですべて水平ＣＣＤ２０３に転送されてしまうので、上記した画素混合読み出し方式の様に、隣りあったホトダイオード２０１の信号電荷が混合されることはなく、１つのホトダイオードに対して１つの信号を得ることができる。以下、水平ＣＣＤ２０３に転送された信号電荷は、駆動回路１０５より供給される水平走査パルスに同期して撮像素子１０４から出力される。
【００２５】
上記動作によってそれぞれの画素から独立して読み出された信号Ｇｒ、Ｍｇ、Ｃｙ、Ｙｅは、Ａ／Ｄ変換器１０７でディジタル信号に変換されて、メモリ制御回路１０９に制御されたメモリ１０８に記録される。一方、上記静止画記録を行なう前の動画撮影時に、信号処理回路１１４で行なっていたホワイトバランスなどの情報もメモリ１０８に記録する。ホワイトバランスなどの情報は、別の記録手段に記録しても良い。
【００２６】
次に、記録された静止画を出力する動作を説明する。
【００２７】
再生ボタン１１２が押されると記録／再生制御回路からの制御信号に基ずいて、メモリ１０８に記録された信号は、選択回路１１３で選択されて信号処理回路１１４に入力される。信号処理回路１１４は、ホワイトバランスなどの情報を読み取って、その情報をもとに所定の映像信号を生成する。一方、ビューファインダ１１６は被写体を表示する他に、記録／再生制御回路１１０からの制御信号によりメモリ１０８に記録可能な静止画の枚数や、Ｆｕｌｌ／Ｅｃｏｎｏｍｙ切り換え、スタンバイ状態などの後述する情報を表示する。
【００２８】
以下に、信号処理回路１１４の動作について説明する。
【００２９】
動画撮影時には、上述したように画素混合読み出しで画素の信号を撮像素子１０４から読み出し、Ａ／Ｄ変換器１０７でディジタル信号に変換して、図３に示す信号を信号処理回路１１４に入力する。この入力信号から輝度信号と色差信号を生成する信号処理回路１１４の具体例を図５に示す。図５において２１１は入力信号をサンプリングし出力信号Ｓ１，Ｓ２，Ｓ３，Ｓ４を生成するサンプリング回路、２１２は信号処理制御回路１１５により設定された輝度用のマトリクスを用いて輝度信号を生成する輝度マトリクス回路、２１３は輝度マトリクス回路２１２が生成した輝度信号に公知のガンマ補正などのディジタル信号処理を施す輝度信号処理回路、２１４は信号処理制御回路１１５により設定されたＲＧＢ用のマトリクスを用いてＲＧＢ信号を生成するＲＧＢマトリクス回路、２１５はホワイトバランス回路、２１６は信号処理制御回路１１５により設定された色差信号用のマトリクスを用いて色差信号を生成する色差マトリクス回路である。図６は輝度およびＲＧＢマトリクス回路２１２、２１４の回路構成例であり、２２１、２２２、２２３、２２４は入力信号とマトリクス係数をかけあわせる乗算器、２２５は乗算器２２１、２２２、２２３、２２４の出力をたしあわせる加算器である。
【００３０】
図５においてサンプリング回路２１１は、順次に信号が切り替わる図３に示す信号ｓ１、ｓ２、…を図７に示すようにサンプルホールドする。図７（ａ）および（ｃ）はＣｙ＋ＧｒあるいはＹｅ＋Ｍｇの信号が撮像素子１０４から出力される水平期間のタイミングチャートであり、（ｂ）はＣｙ＋ＭｇあるいはＹｅ＋Ｇｒが出力される水平期間のタイミングチャートである。図示していないがサンプリング回路２１１はラインメモリを有し、例えば（ｂ）の水平期間において（ａ）の水平期間と同じ信号時系列の信号Ｓ１、Ｓ２を出力し、（ｃ）の水平期間において（ｂ）の水平期間と同じ信号時系列の信号Ｓ３、Ｓ４を出力する。このサンプルホールドされた信号Ｇｒ＋Ｃｙ、Ｍｇ＋Ｙｅ、Ｍｇ＋Ｃｙ、Ｇｒ＋Ｙｅは、輝度マトリクス回路２１２およびＲＧＢマトリクス回路２１４で、図８に示すマトリクス係数Ｍ１、Ｍ２が乗じられて輝度信号ＹおよびＲＧＢ信号Ｇ、Ｒ、Ｂに変換される。図８に示すマトリクス係数Ｍ１、Ｍ２の具体例を以下に示す。
【００３１】
Ｍ11＝Ｍ12＝Ｍ13＝Ｍ14＝１
Ｍ21＝−２、Ｍ22＝２、Ｍ23＝０、Ｍ24＝１
Ｍ31＝１、Ｍ32＝−１、Ｍ33＝０、Ｍ34＝２               … （１）
Ｍ41＝１、Ｍ42＝０、Ｍ43＝２、Ｍ44＝−２
色差信号Ｒ−Ｙ、Ｂ−Ｙも図６に示す回路構成で同様に生成でき、図８に示すマトリクス係数Ｍ３としては以下に示す具体例を用いれば良い。
【００３２】
Ｍ51＝０．７、Ｍ52＝−０．５９、Ｍ53＝−０．１１
Ｍ61＝−０．３、Ｍ62＝−０．５９、Ｍ63＝０．８９        … （２）
上記マトリクス係数Ｍ１、Ｍ２、Ｍ３は信号処理制御回路１１５によって設定される。
【００３３】
次に静止画の信号生成ついて説明する。
【００３４】
静止画生成時時には、上述したように独立読み出しで各画素の信号を独立して撮像素子１０４から読み出し、Ａ／Ｄ変換器１０７でディジタル信号に変換して、図４に示す信号列をメモリ１０８に記録する。メモリ１０８からは、図２に示す第１行のホトダイオード２０１の信号、第２行のホトダイオード２０１の信号、…の順に読み出し、信号処理回路１１４に入力する。サンプリング回路２１１は、図９に示すように、Ｇｒ、Ｍｇ、Ｇｒ、Ｍｇ、…あるいはＣｙ、Ｙｅ、Ｃｙ、Ｙｅ、の時系列で入力された信号を動画撮影時と同様にサンプルホールドし、信号処理制御回路１１５によってマトリクス係数Ｍ１、Ｍ２、Ｍ３の内のＭ２を下記マトリクス値Ｍ４に設定し直して、図１０に示す静止画撮影時の輝度信号Ｙ、色信号Ｒ、Ｇ、Ｂおよび色差信号Ｒ−Ｙ、Ｂ−Ｙを生成する。
【００３５】
Ｍ71＝０、Ｍ72＝１、Ｍ73＝−１、Ｍ74＝１
Ｍ81＝１、Ｍ82＝−１、Ｍ83＝１、Ｍ84＝１               … （３）
Ｍ91＝０、Ｍ92＝１、Ｍ93＝１、Ｍ94＝−１
なお、図２に示すように、色フィルタｇｒ、ｍｇの配置は１行おきにｇｒ、ｍｇ、ｇｒ、…、の順とｍｇ、ｇｒ、ｍｇ、…、の順を繰り返している。したがって、図９に示すように（ａ）と（ｃ）では信号処理回路１１４に入力されるＧｒとＭｇの順序が１画素分ずれる。上記ずれを補正するためのサンプリング回路２１１の具体例を図１１に示す。同図（ａ）において２４１、２４２はサンプルホールド回路であり、Ａ、Ｂはそれぞれサンプルホールド回路２４１、２４２のサンプルホールドパルスである。同図（ｂ）に示すようにＮ行目のホトダイオード２０１の信号を読み出すラインＮの信号処理においてＭｇ、Ｇｒ、…の順序で信号が入力されたとすると、サンプルホールドパルスＡ、Ｂを（ｃ）のように供給し、（ｄ）に示す時系列にサンプルホールドする。ここで、サンプルホールド回路２４１、２４２はサンプルホールドパルスがハイレベル時に入力信号を通し、ローレベル時には直前のハイレベル時の信号を出力する。一方、Ｎ＋２行目のホトダイオード２０１の信号を読み出すラインＮ＋２の信号処理においてはＧｒ、Ｍｇ、…の順序で信号が入力されるので、サンプルホールドパルスＡ、Ｂを（ｃ）のラインＮ＋２のように供給し、（ｄ）のラインＮ＋２に示す時系列にサンプルホールドする。
【００３６】
次に本発明の別の実施例を図１２に示す。同図において２５１は信号処理回路、２５２はカメラ信号処理回路、２５３は信号補間回路、２５４はメモリ、２５５は信号処理制御回路であり、図１の実施例と共通するものには同じ番号を付けている。図１の実施例と異なる点は、メモリ２５４に信号処理回路２５１の出力信号を記録するように構成したことである。動画撮像時の動作は図１の実施例と同じであるので、静止画撮像時の動作を以下に説明する。
【００３７】
独立読み出しで撮像素子１０４から出力された信号は、図５に示す信号処理回路を有するカメラ信号処理回路２５２に入力され、輝度信号あるいは色差信号生成経路のいずれか１経路を利用してスルーで出力される。例えば、サンプリング回路２１１は入力信号をそのままＳ１に出力し、輝度マトリクス回路２１２はＳ１に１を乗じた信号とＳ２〜Ｓ４に０を乗じた信号を加算し、輝度信号処理回路２１３は輝度マトリクス回路２１２の出力信号をそのまま出力する。信号補間回路２５３は信号処理制御回路２５５からの制御信号にもとずいて図１３に示す信号時系列変換を行ない、この信号時系列変換後の信号をメモリ２５４に記録する。ここで、図１３は撮像素子１０４から出力された信号の空間分布を表わしている。
【００３８】
撮像素子１０４から出力された信号をメモリ２５４に記録し終えた後、メモリ２５４に記録された信号はカメラ信号処理回路２５２に入力され、信号処理制御回路２５５からの制御信号にもとずいた図１の実施例と同様の信号処理によって輝度信号Ｙと色差信号Ｒ−Ｙ、Ｂ−Ｙが生成される。信号補間回路２５３は信号処理制御回路２５５からの制御信号にもとずいてこの輝度信号Ｙと色差信号Ｒ−Ｙ、Ｂ−Ｙをそのまま出力する。
【００３９】
信号補間回路２５３で図１３に示す信号補間を行なえば、図１１に示すサンプリングによる信号時系列変換を行なう必要がない。すなわち、図１１（ｂ）ラインＮに示す時系列で信号Ｍｇ、Ｇｒが入力した場合には、信号補間回路２５３は図１３（ａ）に示すようにそのまま補間後の信号Ｍｇ’、Ｇｒ’として出力し、図１１（ｂ）ラインＮ＋２に示す時系列で信号Ｇｒ、Ｍｇが入力した場合には、信号補間回路２５３は図１３（ｂ）に示すように２つの入力Ｇｒ信号から補間後の信号Ｇｒ’を入力Ｍｇ信号の位置に、２つの入力Ｍｇ信号から補間後の信号Ｍｇ’を入力Ｇｒ信号の位置にそれぞれ補間生成して出力する。上記信号補間を行なう信号補間回路２５３の具体例を図１４に示す。図１４において４０１は遅延回路、４０２、４０３は乗算器、４０４は加算器、Ｋ１、Ｋ２は信号処理制御回路２５５から供給される係数である。遅延回路４０１は入力信号を２画素分遅延させ、図１３（ａ）に示す補間時には係数Ｋ１を０に、Ｋ２を１にそれぞれ設定し、図１３（ｂ）に示す補間時には係数Ｋ１、Ｋ２をそれぞれ０．５に設定する。
【００４０】
以上はフレーム情報を損なわずに静止画を記録する（Ｆｕｌｌモードと呼ぶ）実施例であり、次に、画質の劣化を伴うが、少ないメモリ容量で静止画を記録する（Ｅｃｏｎｏｍｙモードと呼ぶ）実施例を以下に説明する。
【００４１】
撮像素子１０４は、静止画撮像時にも上述した一般的な画素混合読み出しによって、信号を出力する。撮像素子１０４から出力された信号は、図１の実施例においてはメモリ制御回路１０９によって２個に１個の割合で水平方向に間引きしてメモリ１０８に記録し、メモリ１０８から読み出した信号に動画撮像時と同様のマトリクス処理を施して輝度信号と色差信号を生成する。また、図１２の実施例においては信号補間回路２５３で、２個に１個の割合で水平方向に信号補間を行なって信号数を半減し、メモリ２５４に記録する。以上の動作により、Ｆｕｌｌモードに比べて垂直・水平方向の信号数をそれぞれ半分にできるので、メモリ１０８、２５４に４倍の枚数の静止画を記録することができる。上記ＦｕｌｌモードとＥｃｏｎｏｍｙモードはＦｕｌｌ／Ｅｃｏｎｏｍｙ切り換えスイッチ１１９で切り換え、いずれのモードにあるかによって、メモリ１０８、２５４にあと何枚の静止画を記録することができるかをビューファインダ１１８に表示する。また、いずれのモードにあるかをビューファインダ１１８に表示する。
【００４２】
以下、本発明の別の実施例を図を用いて説明する。
【００４３】
図２６は本発明の別の実施例に係る撮像装置の構成図である。同図において２６０１はレンズ、２６０２はシャッタ、２６０３はシャッタ制御回路、２６０４は撮像素子、２６０５は駆動回路、２６０６はアンプ、２６０７はＡ／Ｄ変換器、２６０８はメモリ、２６０９はバッファメモリ、２６１０はメインメモリ、２６１１はメモリ制御回路、２６１２は記録／再生制御回路、２６１３は選択回路、２６１４は信号処理回路、２６１５はカメラ信号処理回路、２６１６は信号補間回路、２６１７は信号処理制御回路、２６１８はシャッタボタン、２６１９はＦｕｌｌ／Ｅｃｏｎｏｍｙ切り換えスイッチ、２６２０は表示装置であり、撮像素子２６０４の具体例を図２７に示す。図２７において２７０１はホトダイオード、２７０２は垂直ＣＣＤ、２７０３は水平ＣＣＤであり、ｇｒ、ｍｇ、ｃｙ、ｙｅは、ホトダイオード２７０１の各々に配された色フィルタで、ｇｒはグリーン、ｍｇはマゼンタ、ｃｙはシアン、ｙｅはイエローの色フィルタであることを示す。  上記構成において、レンズ２６０１を通して入力された光は、シャッタ制御回路２６０３により絞り値Ｆが制御されたシャッタ２６０２を通して撮像素子２６０４に入力され、撮像素子２６０４の表面に配された図２７に示すホトダイオード２７０１によって光電変換された信号電荷は、垂直ＣＣＤ２７０２を経由して水平ＣＣＤ２７０３に転送され駆動回路２６０５より供給される水平走査パルスに同期して電圧変換され出力される。
【００４４】
まず、動画撮影時の動作を説明する。撮像素子２６０４は、上記公知例に記載されているように、垂直方向に隣接する２つの画素信号を混合して読み出す、いわゆる画素混合方式で信号を読み出す。
【００４５】
以下、図３を用いて画素混合読み出しの説明をする。
【００４６】
図３は、画素混合読み出し時における垂直転送パルスと、垂直ＣＣＤ２７０２における信号電荷の転送のタイミングチャートを示したものである。同図において垂直転送パルス１の３値パルスが高レベルになることでｇｒ、ｍｇの行のホトダイオード２７０１から、垂直転送パルス３の３値パルスが高レベルになることでｃｙ、ｙｅの行のホトダイオード２７０１からそれぞれ垂直ＣＣＤ２７０２に信号電荷が転送される。垂直ＣＣＤ２７０２に転送された信号電荷は、図３に示す通りに垂直ＣＣＤ２７０２内で混合され、水平ＣＣＤ２７０３に転送される。
【００４７】
撮像素子２６０４の出力信号は、アンプ２６０６によって増幅され、Ａ／Ｄ変換器２６０７に入力される。Ａ／Ｄ変換器２６０７に入力された信号は、駆動回路２６０５より供給されるタイミングパルスでサンプリングされてディジタル信号に変換される。Ａ／Ｄ変換器２６０７によりディジタル信号に変換された信号は、選択回路２６１３によって信号処理回路２６１４内に入力される。信号処理回路２６１４は、ガンマ補正やホワイトバランス補正等の一般的な信号処理を行ない、輝度信号、色（ＲＧＢ）信号などを生成する。
【００４８】
次に、静止画を記録する動作を説明する。
【００４９】
上記構成において、シャッタボタン２６１８を押すことにより記録／再生制御回路２６１２からシャッタクローズの制御信号がシャッタ制御回路２６０３に入力され、シャッタ制御回路２６０３によってシャッタ２６０２は、所定の時間後にクローズ状態となる。シャッタ２６０２がクローズ状態となるまでに撮像素子２６０４に入力された光は、撮像素子２６０４に配されたホトダイオード２７０１によって光電変換され、シャッタ２６０２がクローズ状態の間に垂直ＣＣＤ２７０２を経由して水平ＣＣＤ２７０３へ転送し、駆動回路２６０５より供給される水平走査パルスに同期して電圧変換されて出力される。この時、撮像素子２６０４は、ホトダイオード２７０１から１度信号を読み出すと、ホトダイオード２７０１に信号が残らない、いわゆる破壊読み出しであるので、動画の読み出しと同様に画素混合読み出しをすると、フレームの情報が失われてしまう。垂直方向の解像度を劣化させずに静止画を得るために、以下に示す独立読み出しを行なう。
【００５０】
図４は、独立読み出し時における垂直転送パルスと、垂直ＣＣＤ２７０２における信号電荷の転送のタイミングチャートを示したものである。同図において垂直転送パルス１、及び垂直転送パルス３の３値パルスが高レベルになる周期は、図４に示す通り１フィールドおきである。よって垂直転送パルス１の３値パルスが高レベルになるフィールドでは、ｇｒ、ｍｇの行のホトダイオード２７０１からのみ信号電荷が垂直ＣＣＤ２７０２に転送され、次の１フィールドでは、垂直転送パルス３の３値パルスが高レベルになることで、ｃｙ、ｙｅの行のホトダイオード２７０１からのみ垂直ＣＣＤ２７０２に信号電荷が転送される。垂直ＣＣＤに２７０２転送された信号電荷は、１フィールド期間ですべて水平ＣＣＤ２７０３に転送されてしまうので、上記した画素混合読み出し方式の様に、隣あったホトダイオード２７０１の信号電荷が混合されることはなく、１つのホトダイオードに対して１つの信号を得ることができる。以下、水平ＣＣＤ２７０３に転送された信号電荷は、駆動回路２６０５より供給される水平走査パルスに同期して撮像素子２６０４から出力される。
【００５１】
上記動作によってそれぞれの画素から独立して読み出された信号Ｇｒ、Ｍｇ、Ｃｙ、Ｙｅは、Ａ／Ｄ変換器２６０７でディジタル信号に変換されて、メモリ制御装置２６１１に制御されたメモリ２６０８に記録される。一方、上記静止画記録を行なう前の動画撮影時に、信号処理回路２６１４で行なっていたホワイトバランスなどの情報もメモリ２６０８に記録する。ホワイトバランスなどの情報は、別の記録手段に記録しても良い。
【００５２】
次に、記録された静止画を出力する動作を説明する。
【００５３】
メモリ２６０８に記録された信号は、選択回路２６１３で選択されて信号処理回路２６１４に入力される。信号処理回路２６１４は、ホワイトバランスなどの情報を読み取って、その情報をもとに所定の映像信号を生成する。ところで、撮像素子２６０４の有するホトダイオード２７０１は、一般的に水平垂直で異なった間隔で配されている。すなわち、ホトダイオード２７０１は画素とも呼ばれており、図２７に示す画素ピッチＰｘ、Ｐｙが等しくない。したがって、光学像が空間的に等間隔でサンプリングされないことになり、上述したように画像入力手段としては好ましくない。そこで、水平及び垂直の画素ピッチを等しくするために信号補間回路２６１６で内挿補間する。図１４、図２８、図２９、及び図３０を用いて、以下に空間的なサンプリングピッチを等しくする内挿補間について説明する。
【００５４】
図１４は、信号補間回路２６１６の具体例である。
【００５５】
図２８において〇で示しているＳ1,1 、Ｓ1,2 、Ｓ1,3 、Ｓ2,1 、Ｓ2,2 、Ｓ2,3 は、信号補間回路２６１６に入力される信号（補間前の信号）の空間分布を示し、△で示しているＳ1,1 ’、Ｓ1,2 ’、Ｓ1,3 ’、Ｓ2,1 ’、Ｓ2,2 ’、Ｓ2,3 ’は、加算器４０４の出力（補間後の信号）の空間分布を示している。補間前の信号は、Ｐｘを水平画素ピッチ、Ｐｙを垂直画素ピッチとすると、水平垂直方向にそれぞれＰｘ、Ｐｙの整数倍だけ離れていることになり、ここでは簡単のためにＰｘ、Ｐｙだけ離れているとする。Ｓ1,1 の位置にＳ1,1 ’で表わす補間後の信号を生成したとすると、△で示した補間後の信号Ｓ1,2 ’、Ｓ1,3 ’はＳ1,1 ’から、水平方向にＰｙ、２Ｐｙだけ離れたところに生成すれば良いから、次式の様に内挿の補間演算で求められる。
【００５６】
Ｓ1,2 ’＝Ｓ1,1 ＊（Ｐｘ−Ｐｙ）／Ｐｘ＋Ｓ1,2 ＊Ｐｙ／Ｐｘ・・・・（７）
Ｓ1,3 ’＝Ｓ1,2 ＊（２Ｐｘ−２Ｐｙ）／Ｐｘ
＋Ｓ1,3 ＊（２Ｐｙ−Ｐｘ）／Ｐｘ・・・・（８）
換言すれば、垂直画素数をＭ個、水平画素数をＮ個とし、水平方向に下記Ｎ’個の水平方向のデータを内挿補間で生成すれば良い。
【００５７】
Ｎ’＝Ｎ＊Ｐｘ／Ｐｙ      ・・・（９）
しかし、上記方法により補間して得た映像信号は、水平方向に間延びしてしまう。そこで、撮像素子２６０４には、その水平画素数から導出される周波数の水平走査パルスよりも、高速な水平走査パルスを供給する。以下に、具体的な方法を図２９を用いて説明する。
【００５８】
撮像素子２６０４に、水平方向の画素ピッチＰｘが９．６μｍ、垂直方向の画素ピッチＰｙが７．５μｍ、水平画素数５１０画素、垂直画素数４８５画素の一般的なＮＴＳＣ方式の撮像素子を用いた場合、水平画素数から導出される水平走査パルスの周波数は、下記６１０ｆH （ｆH ：水平周波数）である。
【００５９】
５１０＊６３．５６／（６３．５６−１０．５）＝６１０．９
≒６１１・・・（１０）
一方、上記（９）式より、補間によって生成する水平方向の信号数は、下記６５３個である。
【００６０】
５１０＊９．６／７．５＝６５２．８≒６５３    ・・・（１１）
従って、６１１ｆH の周波数の水平走査パルスを用いると、１水平期間内に内挿補間が終了しなくなってしまう。上記問題を解決するためには、用いる水平走査パルスの周波数を、下記７８２ｆH とすれば良い。
【００６１】
６５３＊６３．５６／（６３．５６−１０．５）＝７８２．２
≒７８２・・・（１２）
図２９において、出力信号１は、６１１ｆH の水平走査パルスを用いて、上記撮像素子から信号を出力した場合のタイミングチャートであり、出力信号２は、７８２ｆH の水平走査パルスを用いて上記撮像素子から信号を出力した場合のタイミングチャートである。本実施例においては、７８２ｆH の水平走査パルスを用いて、水平方向に５１０／６５３（あるいは７．５／９．６）の割合で縮小された出力信号２を得る。出力信号２は、上記信号補間により水平方向に６５３／５１０（あるいは９．６／７．５）倍されるので、得られる映像信号のアスペクト比は変わらない。
【００６２】
上記内挿補間方法は、水平方向について示したものであり、以下に垂直方向の内挿補間について、以下に説明する。
【００６３】
図３０において〇で示しているＳ1,1 、Ｓ1,2 、Ｓ2,1 、Ｓ2,2 、Ｓ3,1 、Ｓ3,2 、Ｓ4,1 、Ｓ4,2 は、信号補間回路２６１６に入力される信号（補間前の信号）の空間分布を示している。上述の内挿補間と同様に、Ｓ1,1 の位置にＳ1,1’で表わす補間後の信号を生成したとすると、△で示した補間後の信号Ｓ2,1 '、Ｓ3,1 ’は、Ｓ1,1 ’から垂直方向にＰｘ、２Ｐｘだけ離れたところに生成すれば良いから、次式の様に内挿の補間演算で求められる。
【００６４】
Ｓ2,1 ’＝Ｓ2,1 ＊（２Ｐｙ−Ｐｘ）／Ｐｙ
＋Ｓ3,1 ＊（Ｐｘ−Ｐｙ）／Ｐｙ・・（１３）
Ｓ3,1 ’＝Ｓ3,1 ＊（３Ｐｙ−２Ｐｘ）／Ｐｙ
＋Ｓ4,1 ＊（２Ｐｘ−２Ｐｙ）／Ｐｙ・・・・（１４）
換言すれば、下記（１５）式によって求まるＭ’個の垂直方向のデータを信号補間により生成する。
【００６５】
Ｍ’＝Ｍ＊Ｐｙ／Ｐｘ      ・・・（１５）
次に、メモリ２６０８への映像信号の書き込みについて説明する。
【００６６】
静止画記録時には、上述したように独立読み出しで各画素の信号を独立して撮像素子２６０４から読み出し、Ａ／Ｄ変換器２６０７でディジタル信号に変換して、メモリ２６０８に記録する。図４に示すように、垂直転送パルスＶ１が３値パルスになるフィールドでは、ＭｇとＧｒが順次に出力され、Ｖ３が３値パルスになるフィールドでは、ＣｙとＹｅが出力されるので、メモリ２６０８には、図３１に示すようなフォーマットで記録される。静止画出力時には、上記したメモリ２６０８に記録された信号を順次読み出して、信号処理回路２６１４で所定のフォーマットの映像信号を生成する。例えば、３原色信号のＲ、Ｇ、Ｂを生成するためには、以下に示すマトリクス演算を行ない、Ｒ、Ｇ、Ｂそれぞれの信号に上記したような信号補間を行なえば良い。
【００６７】
Ｒ＝Ｍｇ−Ｃｙ＋Ｙｅ
Ｇ＝−Ｍｇ＋Ｃｙ＋Ｙｅ＋Ｇｒ     ・・・（１６）
Ｂ＝Ｍｇ＋Ｃｙ−Ｙｅ      
この時、仮にメモリ２６０８を信号処理回路２６１４の後段に配し、撮像素子２６０４から出力された信号に、（１６）式の演算処理を施して、補間後のＲ、Ｇ、Ｂ信号を生成し、このＲ、Ｇ、Ｂ信号を、メモリ２６０８に記録した場合、１フレーム分の画像信号を記録するのに必要なメモリ容量は、
４８５＊６５３＊３（ＲＧＢ）＊９ｂｉｔ≒８．６Ｍｂｉｔ・・・（１７）
である。ここで、４８５はライン数、６５３は水平ドット数であり、Ａ／Ｄ変換器２６０７の分解能は、９ｂｉｔとしている。一方、本実施例では、
４８５＊５１０＊９ｂｉｔ≒２．２Ｍｂｉｔ  ・・・（１８）
の容量で済む。つまり、補色の信号を記録することで、データを約１／４に圧縮したことになる。
【００６８】
上記（１７）、（１８）式で、Ａ／Ｄ変換器２６０７の分解能を９ｂｉｔとした理由は、分解能８ｂｉｔ時の量子化エラーによるＳ／Ｎ劣化が、許容量以上であるという画質評価結果にもとづいている。しかしながら、汎用メモリをメモリ２６０８に使用する場合、汎用メモリのビット構成が深さ方向８ｂｉｔであることを考慮すると、Ａ／Ｄ変換器２６０７の分解能は、８ｂｉｔであることが望ましい。そこで、アンプ２６０６に図３２に示す非線形な入出力特性を持たせ、８ｂｉｔの分解能でディジタル信号に変換する。量子化雑音の目立つ低輝度の領域では、９ｂｉｔの分解能でディジタル信号に変換され、量子化雑音の目立たない高輝度の領域では、８ｂｉｔ以下の分解能でディジタル信号に変換することにより、データを圧縮して８ｂｉｔの一般的なメモリを用いることができる。この時、図３２に示す入出力特性とは逆の図３３に示すような入出力特性を信号処理回路２６１４に持たせることにより、線形な信号処理を行なうことができる。上記した非線形な入出力特性は、入力信号レベルに応じてアンプ２６０６の利得を変化させることで、容易に実現できる。
【００６９】
次に、図２６におけるメモリ２６０８の具体的な構成例を説明する。
【００７０】
メモリ２６０８の内部構成は、図２６に示すように、メインメモリ２６１０とバッファメモリ２６０９の２つのメモリを用いた構成とする。メモリ２６０８は、Ａ／Ｄ変換器２６０７より出力される信号を記録するために、ビデオレートで信号を入出力する必要がある。また、静止画を複数枚記録するには、大容量のメモリが必要となる。しかし、この様なメモリは、現在非常に高価である。そこで、メインメモリ２６１０には、記憶容量は大きいが、データアクセス速度の遅い（例えばフラッシュメモリや磁気ディスク、あるいは光ディスク等）を用い、バッファメモリ２６０９には、高速動作が可能な画像メモリ等を用いる。記録時には、Ａ／Ｄ変換器２６０７より出力される信号を、ビデオレートで動作するバッファメモリ２６０９に一旦記録する。バッファメモリ２６０９に記録された静止画１枚分の信号は、メインメモリ２６１０の動作速度に合わせて、メインメモリ２６１０に転送され、記録される。
【００７１】
次に、画質の劣化を伴うが、更に少ないメモリ容量で静止画を記録する方法を以下に説明する。
【００７２】
以下、上記静止画記録方法をＦｕｌｌモードと呼び、以下に記す静止画記録方法をＥｃｏｎｏｍｙモードと呼ぶ。
【００７３】
撮像素子２６０４は、上述した一般的な画素混合読み出しによって、信号を出力する。撮像素子２６０４から出力された信号は、Ｆｕｌｌモード撮影時と同様にして、メインメモリ２６１０に図３４に示すフォーマットで記録される。ただし、本方法で記録された信号は、図３４に示す通りＦｕｌｌモードとは信号のフォーマットが異なり、再生時において上記Ｆｕｌｌモードと信号処理の方法が異なる。よって、所定のフォーマットの映像信号を生成する際に、Ｆｕｌｌモードで記録された信号か、あるいはＥｃｏｎｏｍｙモードで記録された信号かを示す識別信号が必要である。この識別信号は、ホワイトバランスなどの情報と併せて記録される。
【００７４】
次に、Ｅｃｏｎｏｍｙモードで記録された信号を出力する動作を説明する。
【００７５】
メインメモリ２６１０に記録された信号は、Ｆｕｌｌモードの再生時と同様に、信号処理回路２６１４に入力され、ホワイトバランスなどの情報をもとにして所定のフォーマットの映像信号を生成する。例えば、３原色信号のＲ、Ｇ、Ｂを生成するためのマトリクス演算式は、上記した（１６）式に示すマトリクス演算式とは別の、以下に示すマトリクス演算を行ない、Ｒ、Ｇ、Ｂそれぞれの信号に、図３５に示す信号補間を行なえばよい。
【００７６】
Ｒ＝２（Ｍｇ＋Ｙｅ）＋（Ｇｒ＋Ｙｅ）−２（Ｇｒ＋ＣＹ）
Ｇ＝−（Ｍｇ＋Ｙｅ）＋２（Ｇｒ＋Ｙｅ）＋（Ｇｒ＋Ｃｙ）・・（１９）
Ｂ＝２（Ｍｇ＋Ｃｙ）−２（Ｇｒ＋Ｙｅ）＋（Ｇｒ＋Ｃｙ）
この時、撮像素子２６０４は、画素混合方式によって信号を出力したので、前述のＦｕｌｌモードによる記録方法と比較して、メモリに記録する静止画１枚あたりの信号数が１／２になる。よって、２倍の枚数の静止画を記録することができる。
【００７７】
上記したＦｕｌｌモード、Ｅｃｏｎｏｍｙモードの、２通りの静止画記録方法の選択には、Ｆｕｌｌ／Ｅｃｏｎｏｍｙ切り換えスイッチ２６１９を用いる。Ｆｕｌｌ／Ｅｃｏｎｏｍｙ切り換えスイッチ２６１９が選択しているモードに応じ、マトリクス演算式の選択、撮像素子２６０４の駆動方法、及び、メモリ２６０８の駆動方法等を選択する。また、Ｆｕｌｌ／Ｅｃｏｎｏｍｙ切り換えスイッチ２６１９の操作に応じて、表示装置２６２０は、どちらの記録方式を選択しているかを表示すると共に、現在選択されている記録方式であと何枚分の静止画を記録することができるかを表示する。
【００７８】
以下、本発明の別の実施例を図を用いて説明する。
【００７９】
図３６は本発明の別の実施例に係る撮像装置の構成図である。同図において３６０１はレンズ、３６０２はシャッタ、３６０３はシャッタ制御回路、３６０４は撮像素子、３６０５は駆動回路、３６０６はアンプ、３６０７はＡ／Ｄ変換器、３６０８はメモリ、３６０９はバッファメモリ、３６１０はメインメモリ、３６１１はメモリ制御回路、３６１２は記録／再生制御回路、３６１３は選択回路、３６１４は信号処理回路、３６１５はカメラ信号処理回路、３６１６は信号補間回路、３６１７は信号処理制御回路、３６１８はシャッタボタン、３６１９はＦｕｌｌ／Ｅｃｏｎｏｍｙ切り換えスイッチ、３６２０は表示装置である。本実施例において構成、及び動作は、前述の実施例と共通する部分があり、異なる点について以下に説明する。
【００８０】
動画を撮影する動作は、前述の実施例と全く同様である。
【００８１】
次に、静止画を、Ｆｕｌｌモードで記録する場合の動作を説明する。
【００８２】
前述の実施例と同様に撮像素子３６０４からは、独立読み出しで信号を出力する。撮像素子３６０４から出力された信号は、Ａ／Ｄ変換器３６０７によりディジタル信号に変換され、バッファメモリ３６０９に入力される。バッファメモリ３６０９は、静止画１枚分の信号を記録し、その信号を選択回路３６１３を介して信号処理回路３６１４に出力する。信号処理回路３６１４は、入力された信号に前述の実施例で行なった非線形のデータ圧縮と同様のデータ圧縮を施し（圧縮を施さなくても良い）、その信号をメインメモリ３６１０に記録する。また、前述の実施例と同様に、ホワイトバランス等の情報も記録する。
【００８３】
次に、記録された静止画を出力する動作を説明する。
【００８４】
メインメモリ３６１０に記録された信号は、前述の実施例と同様に選択回路３６１３を介して、信号処理回路３６１４に入力される。信号処理回路３６１４は、記録時に非線形のデータ圧縮を行っていれば、上述したような逆のデータ圧縮を施し、前述の実施例と同様にホワイトバランス等の情報を読み取って、その情報をもとに所定の映像信号を生成し、以下同様に水平垂直の画素ピッチを等しくするため、信号補間による内挿を行なう。
【００８５】
次に、メモリ３６０８に信号を記録する動作を詳しく説明する。
【００８６】
メモリ３６０８は、図３６に示すように、前述の実施例と同じくバッファメモリ３６０９と、メインメモリ３６１０の構成となっている。撮像素子３６０４から出力された信号は、線形な入出力特性を持ったアンプ３６０６で増幅され、Ａ／Ｄ変換器３６０７に入力される。本実施例において、前述の実施例で述べた理由からＡ／Ｄ変換器３６０７は、アンプ３６０６から出力される信号を、９ｂｉｔのディジタル信号に変換する。Ａ／Ｄ変換器３６０７でディジタル信号に変換された信号は、前述の実施例と同様にメインメモリ３６０８内のバッファメモリ３６０９に出力される。ただし、Ａ／Ｄ変換器３６０７から出力された信号のビット数は、９ｂｉｔであるので、バッファメモリ３６０９は、ビット構成が深さ方向９ｂｉｔのメモリであることが必要である。バッファメモリ３６０９に記録された静止画１枚分の信号は、メインメモリ３６１０の動作速度に合わせたデータレートで、選択回路３６１３を介して信号処理回路３６１４に出力され、信号処理回路３６１４は、入力された９ｂｉｔのディジタル信号を、前述の実施例で行なった非線形な入出力特性によるデータ圧縮と同等な変換によって８ｂｉｔのディジタル信号に圧縮し、メインメモリ３６１０に記録する。
【００８７】
前述の実施例では、アナログ信号で非線形処理によるデータ圧縮を施したが、本実施例で用いた方法は、デイジタル処理によって非線形処理によるデータ圧縮をすることが可能である。よってバラツキの無い理想的なデータ圧縮をすることができる。また、信号補間回路３６１６は、ビデオレートで動作させる必要がなくなり、動作に時間的な余裕ができるので、簡単な回路構成をとることができる。
【００８８】
次に、画質の劣化を伴うが、更に少ないメモリ容量で静止画を記録する方法（Ｅｃｏｎｏｍｙモード）を以下に説明する。
【００８９】
撮像素子３６０４は、上述した一般的な画素混合読み出しによって、信号を出力する。撮像素子３６０４から出力された信号は、Ｆｕｌｌモード撮影時と同様にバッファメモリ３６０９に一旦記録し、メインメモリ３６１０の動作速度に合わせて信号処理回路３６１４に出力される。信号補間回路３６１６は、図３７に示す方法で信号補間を行なう。この場合、入力信号の隣合った信号成分が異なるので、前述の方法による信号補間ができない。図３８は、本実施例における信号補間回路３６１６の具体的な構成例であり、３８０１は分離回路、３８０２、３８０３は遅延回路、３８０４、３８０５、３８０６、３８０７は乗算器、３８０８、３８０９は加算器、３８１０はマルチプレクサである。Ｇｒ＋Ｃｙ、Ｍｇ＋Ｙｅ・・・あるいはＭｇ＋Ｃｙ、Ｇｒ＋Ｙｅ・・・の順に入力される信号を、分離回路３８０１でＧｒ＋ＣｙとＭｇ＋ＹｅあるいはＭｇ＋ＣｙとＧｒ＋Ｙｅに分別し、２系統の補間回路で各々の信号を図３７のフォーマットに従って補間する。
【００９０】
信号補間回路３６１６により、上記動作で補間された信号は、メインメモリ３６１０に記録される。図３９は、メインメモリ３６１０に記録されるＥｃｏｎｏｍｙモード時の信号フォーマットを示したものである。ただし、上記実施例と同様に本方法で記録された信号は、再生時において、上記Ｆｕｌｌモードと信号処理の方法が異なる。よって、Ｆｕｌｌモードで記録された信号か、あるいはＥｃｏｎｏｍｙモードで記録された信号かを示す情報も、ホワイトバランスなどの情報と併せて記録する。
【００９１】
次に、Ｅｃｏｎｏｍｙモードで記録された信号を出力する動作を説明する。
【００９２】
メインメモリ３６１０に記録された信号は、Ｆｕｌｌモードの再生時と同様に、信号処理回路３６１４に入力され、所定のフォーマットの映像信号を生成する。
【００９３】
例えば、３原色信号のＲ、Ｇ、Ｂを生成するためのマトリクス演算式は、上記した（１９）式に示すマトリクス演算を行ない、Ｒ、Ｇ、Ｂそれぞれの信号に、図４０に示す信号補間を行なえばよい。
【００９４】
この時、メインメモリ３６１０に記録される信号は、撮像素子３６０４から画素混合方式によって信号を出力したので、垂直方向のデータ数が１／２になり、更に信号補間回路３６１６で水平方向の信号数を１／２としたので、前述のＦｕｌｌモードによる記録方法と比較して、１／４に圧縮されたこととなる。本方法によれば、Ｆｕｌｌモード記録時の４倍の枚数の静止画を記録することができる。
【００９５】
上記したＦｕｌｌモード、Ｅｃｏｎｏｍｙモードの選択には、Ｆｕｌｌ／Ｅｃｏｎｏｍｙ切り換えスイッチ３６１９を用いる。Ｆｕｌｌ／Ｅｃｏｎｏｍｙ切り換えスイッチ３６１９が選択しているモードに応じ、上述した記録方法のどちらか一方を選択する。また、Ｆｕｌｌ／Ｅｃｏｎｏｍｙ切り換えスイッチ３６１９の操作に応じて、表示装置３６２０は、どちらの記録方式を選択しているかを表示すると共に、現在選択されている記録方式で、あと何枚分の静止画を記録することができるかを表示する。
【００９６】
以下、本発明の別の実施例を図を用いて説明する。
【００９７】
図４１は本発明の別の実施例に係る撮像装置の構成図である。同図において４１０１はレンズ、４１０２はシャッタ、４１０３はシャッタ制御回路、４１０４は撮像素子、４１０５は駆動回路、４１０６はアンプ、４１０７はＡ／Ｄ変換器、４１０８はメモリ、４１０９はメモリ制御回路、４１１０は記録／再生制御回路、４１１１はシャッタボタン、４１１２は再生ボタン、４１１３は選択回路、４１１４は信号処理回路、４１１５はカメラ信号処理回路、４１１６は信号補間回路、４１１７は信号処理制御回路、４１１８はビューファインダ、４１１９はＦｕｌｌ／Ｅｃｏｎｏｍｙ切り換えスイッチであり、撮像素子４１０４の具体例を図２に示す。上記図２に示す様な色フィルタが配されたホトダイオード２０１は一般に画素と呼ばれている。上記構成において、レンズ４１０１を通して入力された光は、シャッタ制御回路４１０３により絞り値Ｆが制御されたシャッタ４１０２を通して撮像素子４１０４に入力され、撮像素子４１０４の表面に配された図２に示すホトダイオード２０１によって光電変換された信号電荷は、垂直ＣＣＤ２０２を経由して水平ＣＣＤ２０３に転送され駆動回路４１０５より供給される水平走査パルスに同期して電圧変換され出力される。
【００９８】
まず、動画撮影時の動作を説明する。撮像素子４１０４は、上記公知例に記載されているように、垂直方向に隣接する２つの画素信号を混合して読み出す、いわゆる画素混合方式で信号を読み出す。
【００９９】
以下、図３を用いて画素混合読み出しの説明をする。
【０１００】
図３は、画素混合読み出し時における垂直転送パルスと、垂直ＣＣＤ２０２における信号電荷の転送のタイミングチャートを示したものである。同図において垂直転送パルス１の３値パルスが高レベルになることでｇｒ、ｍｇの行のホトダイオード４４０１から、垂直転送パルス３の３値パルスが高レベルになることでｃｙ、ｙｅの行のホトダイオード２０１からそれぞれ垂直ＣＣＤ２０２に信号電荷が転送される。垂直ＣＣＤ２０２に転送された信号電荷は、図３に示す通りに垂直ＣＣＤ２０２内で混合され、水平ＣＣＤ２０３に転送される。撮像素子４１０４の出力信号は、アンプ４１０６によって増幅され、Ａ／Ｄ変換器４１０７に入力される。Ａ／Ｄ変換器４１０７に入力された信号は、駆動回路より供給されるタイミングパルスでサンプリングされてディジタル信号に変換される。Ａ／Ｄ変換器４１０７によりディジタル信号に変換された信号は、選択回路４１１３によって信号処理回路４１１４に入力される。信号処理回路４１１４は、ガンマ補正やホワイトバランス補正等の一般的な信号処理を行ない、輝度信号、色（ＲＧＢ）信号などを生成する。
【０１０１】
次に、静止画を記録する動作を説明する。
【０１０２】
上記構成において、シャッタボタン４１１１を押すことにより記録／再生制御回路４１１０からシャッタクローズの制御信号がシャッタ制御回路４１０３に入力され、シャッタ制御回路４１０３によってシャッタ４１０２は、所定の時間後にクローズ状態となる。シャッタ４１０２がクローズ状態となるまでに撮像素子４１０４に入力された光は、撮像素子４１０４に配されたホトダイオード２０１によって光電変換され、シャッタ４１０２がクローズ状態の間に垂直ＣＣＤ２０２を経由して水平ＣＣＤ２０３へ転送し、駆動回路４１０５より供給される水平走査パルスに同期して電圧変換されて出力される。この時、撮像素子４１０４は、ホトダイオード２０１から１度信号を読み出すとホトダイオード２０１に信号が残らない、いわゆる破壊読み出しであるので、動画の読み出しと同様に画素混合読み出しをすると、フレームの情報が失われてしまう。垂直方向の解像度を劣化させずに静止画を得るために、以下に示す独立読み出しを行なう。
【０１０３】
図４は、独立読み出し時における垂直転送パルスと、垂直ＣＣＤ２０２における信号電荷の転送のタイミングチャートを示したものである。同図において垂直転送パルス１、及び垂直転送パルス３の３値パルスが高レベルになる周期は、図４に示す通り１フィールドおきである。よって垂直転送パルス１の３値パルスが高レベルになるフィールドでは、ｇｒ、ｍｇの行のホトダイオード２０１からのみ信号電荷が垂直ＣＣＤ２０２に転送され、次の１フィールドでは、垂直転送パルス３の３値パルスが高レベルになることで、ｃｙ、ｙｅの行のホトダイオード２０１からのみ垂直ＣＣＤ２０２に信号電荷が転送される。垂直ＣＣＤに２０２転送された信号電荷は、１フィールド期間ですべて水平ＣＣＤ２０３に転送されてしまうので、上記した画素混合読み出し方式の様に、隣りあったホトダイオード２０１の信号電荷が混合されることはなく、１つのホトダイオードに対して１つの信号を得ることができる。以下、水平ＣＣＤ２０３に転送された信号電荷は、駆動回路４１０５より供給される水平走査パルスに同期して撮像素子４１０４から出力される。
【０１０４】
上記動作によってそれぞれの画素から独立して読み出された信号Ｇｒ、Ｍｇ、Ｃｙ、Ｙｅは、Ａ／Ｄ変換器４１０７でディジタル信号に変換されて、メモリ制御回路４１０９に制御されたメモリ４１０８に記録される。一方、上記静止画記録を行なう前の動画撮影時に、信号処理回路４１１４で行なっていたホワイトバランスなどの情報もメモリ４１０８に記録する。また、ホワイトバランスなどの情報は、別の記録手段に記録しても良い。
【０１０５】
次に、記録された静止画を出力する動作を説明する。
【０１０６】
メモリ４１０８に記録された信号は、再生ボタン４１１２が押されると記録／再生制御回路からの制御信号によって、選択回路４１１３で選択されて信号処理回路４１１４に入力される。信号処理回路４１１４は、ホワイトバランスなどの情報を読み取って、その情報をもとにＲＧＢ信号を生成する。一方、ビューファインダ４１１８は被写体を表示する他に、記録／再生制御回路４１１０からの制御信号により、メモリ４１０８に記録可能な静止画の枚数や、Ｆｕｌｌ／Ｅｃｏｎｏｍｙ切り換えなどの後述する情報を表示する。
【０１０７】
以下に、信号処理回路４１１４の動作について説明する。
【０１０８】
動画撮影時には、撮像素子４１０４から上述した画素混合読み出しで信号を読み出し、Ａ／Ｄ変換器４１０７でディジタル信号に変換して、図３に示す信号を信号処理回路４１１４内のカメラ信号処理回路４１１５に入力する。この入力信号から輝度信号と色差信号を生成するカメラ信号処理回路４１１５の具体例を図４２に示す。同図において４２０１はサンプリング回路、４２０２は輝度マトリクス回路、４２０３は輝度信号処理回路、４２０４はＲＧＢマトリクス回路、４２０５はホワイトバランス回路、４２０６はＹｃマトリクス回路４２０７は色差マトリクス回路である。図４３は輝度マトリクス回路４２０２の回路構成例であり、同図において４３０１は増幅器、４３０２はマトリクス回路、４３０３はＹｃマトリクス４２０６から出力される信号からマトリクス回路４３０２より出力される信号の差を出力する減算器、４３０４はローパスフィルタ、４３０５は加算器である。図４２においてサンプリング回路４２０１は、順次に信号が切り替わる図３に示す信号ｓ１、ｓ２、…を図７に示すようにサンプルホールドする。
図７（ａ）および（ｃ）は、Ｃｙ＋ＧｒあるいはＹｅ＋Ｍｇの信号が撮像素子４１０４から出力される水平期間のタイミングチャートであり、（ｂ）は、Ｃｙ＋ＭｇあるいはＹｅ＋Ｇｒが出力される水平期間のタイミングチャートである。
図示していないがサンプリング回路４２０１は、ラインメモリを有し、例えば（ｂ）の水平期間において（ａ）の水平期間と同じ信号時系列の信号Ｓ１、Ｓ２を出力し、（ｃ）の水平期間において（ｂ）の水平期間と同じ信号時系列の信号Ｓ３、Ｓ４を出力する。このサンプルホールドされた信号Ｇｒ＋Ｃｙ、Ｍｇ＋Ｙｅ、Ｍｇ＋Ｃｙ、Ｇｒ＋Ｙｅは、輝度マトリクス回路４２０２およびＲＧＢマトリクス回路４２０４に入力される。輝度マトリクス回路４２０２に入力された信号は、以下に示すマトリクス演算式により輝度信号ｙに変換される。
【０１０９】
ｙ＝（Ｇｒ＋Ｃｙ）＋（Ｍｇ＋Ｙｅ）
＋（Ｍｇ＋Ｃｙ）＋（Ｇｒ＋Ｙｅ）  ・・・（２０）
一方、ＲＧＢマトリクス回路４２０４に入力された信号は、以下に示すマトリクス演算式でｒ信号、ｇ信号、ｂ信号に変換される。
【０１１０】
ｒ＝−２（Ｇｒ＋Ｃｙ）＋２（Ｍｇ＋Ｙｅ）＋（Ｇｒ＋Ｙｅ）
ｇ＝（Ｇｒ＋Ｃｙ）−（Ｍｇ＋Ｙｅ）＋２（Ｇｒ＋Ｙｅ）  ・・・（２１）
ｂ＝（Ｇｒ＋Ｃｙ）＋２（Ｍｇ＋Ｃｙ）−２（Ｇｒ＋Ｙｅ）
ＲＧＢマトリクス回路４２０４から出力されるｒ信号、ｇ信号、ｂ信号は、Ｙｃマトリクス回路４２０６に入力され以下に示すマトリクス演算式でｙｃ信号に変換される。
【０１１１】
ｙｃ＝０．３０ｒ＋０．５９ｇ＋０．１１ｂ  ・・・（２２）
上記方法で生成されたｙｃ信号は、輝度マトリクス回路４２０２に入力され、輝度マトリクス回路４２０２は、ｙ、ｙｃ信号を用いて、以下に示す演算式に従って輝度信号Ｙを生成する。
【０１１２】
Ｙ＝ｙ＋（ｙｃｌ−ｙｌ）  ・・・（２３）
ここでｙｌはｙ信号の低域成分、ｙｃｌはｙｃ信号の低域成分であり、ローパスフィルタ４３０４で帯域制限する。（２３）式は、ｙ信号の高域成分ｙｈを用いて
Ｙ＝ｙｈ＋ｙｃｌ  ・・・（２４）
と表すことができ、輝度信号Ｙの低域成分をｒ、ｇ、ｂ信号から生成したことになる。ｒ、ｇ、ｂ信号から輝度信号Ｙの低域成分を生成することにより、例えば赤色の被写体を撮像した時に輝度が浮き上がるという問題が無くなる。
【０１１３】
上記方法により生成された輝度信号Ｙは、輝度信号処理回路４２０３に入力され、ガンマ補正等の公知の輝度信号処理を施される。また、色差マトリクス回路４２０７に入力された信号は、以下に示すマトリクス演算式により色差信号Ｒ−Ｙ、Ｂ−Ｙに変換される。
【０１１４】
Ｒ−Ｙ＝  ０．７ｒ−０．５９ｇ−０．１１ｂ
Ｂ−Ｙ＝−０．３ｒ−０．５９ｇ＋０．８９ｂ        …（２５）
上記マトリクス係数は、信号処理制御回路４１１７によって設定される。
【０１１５】
次に静止画の信号生成について説明する。
【０１１６】
静止画生成時には、上述したように独立読み出しで各画素の信号を独立して撮像素子４１０４から読み出し、Ａ／Ｄ変換器４１０７でディジタル信号に変換して、図４に示す信号列をメモリ４１０８に記録する。メモリ４１０８からは、図２に示す第１行のホトダイオード２０１の信号、第２行のホトダイオード２０１の信号の順に読み出し、信号処理回路４１１４に入力する。サンプリング回路４２０１は、図９に示すように、Ｇｒ、Ｍｇ、Ｇｒ、Ｍｇ、…あるいはＣｙ、Ｙｅ、Ｃｙ、Ｙｅ、の時系列で入力された信号を動画撮影時と同様にサンプルホールドする。なお、図２に示すように、色フィルタｇｒ、ｍｇの配置は、１行おきにｇｒ、ｍｇ、ｇｒ、…、の順とｍｇ、ｇｒ、ｍｇ、…の順を繰り返している。したがって、図９に示すように（ａ）と（ｃ）では信号処理回路４１１４に入力されるＧｒとＭｇの順序が１画素分ずれる。上記ずれを補正するためのサンプリング回路４２０１の具体例を図１１に示す。同図（ａ）において２４１、２４２はサンプルホールド回路であり、Ａ、Ｂはそれぞれサンプルホールド回路２４１、２４２に供給されるサンプルホールドパルスである。同図（ｂ）に示すように、Ｎ行目のホトダイオード２０１の信号を読み出すラインＮの信号処理において、Ｍｇ、Ｇｒ、…の順序で信号が入力されたとすると、サンプルホールドパルスＡ、Ｂを（ｃ）のように供給し、（ｄ）に示す時系列にサンプルホールドする。ここで、サンプルホールド回路２４１、２４２はサンプルホ−ルドパルスがハイレベル時に入力信号を通し、ローレベル時には直前のハイレベル時の信号を出力する。
【０１１７】
一方、Ｎ＋２行目のホトダイオード２０１の信号を読み出すラインＮ＋２の信号処理においては、Ｇｒ、Ｍｇ、…の順序で信号が入力されるので、サンプルホ−ルドパルスＡ、Ｂを（ｃ）のラインＮ＋２のように供給し、（ｄ）のラインＮ＋２に示す時系列にサンプルホ−ルドする。
【０１１８】
次に、静止画出力時において、Ｒ信号を生成する場合の動作を説明する。
【０１１９】
上記方法でサンプルホ−ルドされた信号は、輝度マトリクス回路４２０２およびＲＧＢマトリクス回路４２０４に入力される。輝度マトリクス回路４２０２およびＲＧＢマトリクス回路４２０４により、
ｙ＝Ｇｒ＋Ｍｇ＋Ｃｙ＋Ｙｅ
ｒ＝Ｍｇ−Ｃｙ＋Ｙｅ          ・・・（２６）
ｇ＝Ｇｒ−Ｍｇ＋Ｃｙ＋Ｙｅ
ｂ＝Ｍｇ＋Ｃｙ＋Ｙｅ
の演算式に従ってｙ、ｒ、ｇ、ｂ信号が生成される。ＲＧＢマトリクス回路４２０４で生成された信号は、ホワイトバランス回路４２０５に入力され、前述のホワイトバランス補正を施され、Ｙｃマトリクス回路４２０６に入力される。Ｙｃマトリクス回路４２０６は、以下に示すマトリクス演算式によりＲ信号成分のみの信号ｙｒを生成する。
【０１２０】
ｙｒ＝１＊ｒ＋０＊ｇ＋０＊ｂ  ・・・（２７）
以上の動作によって得られた信号から、以下に示す演算式によってＲ信号を得ることができる。
【０１２１】
Ｒ＝ｙ＋（ｙｒｌ−ｙｌ）・・・（２８）
＝ｙｈ＋ｒｌ
ここでｙｒｌ、ｒｌはそれぞれｙｒ、ｒ信号の低域成分である。
【０１２２】
次に、静止画出力時において、Ｇ信号を生成する場合の動作を説明する。
【０１２３】
上記方法でサンプルホ−ルドされた信号は、輝度マトリクス回路４２０２およびＲＧＢマトリクス回路４２０４に入力される。輝度マトリクス回路４２０２およびＲＧＢマトリクス回路４２０４により、上記（２６）の演算式に従ってｙ、ｒ、ｇ、ｂ信号が生成される。ＲＧＢマトリクス回路４２０４で生成された信号は、ホワイトバランス回路４２０５に入力され、前述のホワイトバランス補正を施され、Ｙｃマトリクス回路４２０６に入力される。Ｙｃマトリクス回路４２０６は、以下に示すマトリクス演算式によりＧ信号成分のみの信号ｙｇを生成する。
【０１２４】
ｙｇ＝０＊ｒ＋１＊ｇ＋０＊ｂ  ・・・（２９）
以上の動作によって得られた信号から、以下に示す演算式によってＧ信号を得ることができる。
【０１２５】
Ｇ＝ｙ＋（ｙｇｌ−ｙｌ）・・・（３０）
＝ｙｈ＋ｇｌ
ここでｙｇｌ、ｇｌはそれぞれｙｇ、ｇ信号の低域成分である。
【０１２６】
次に、静止画出力時において、Ｂ信号を生成する場合の動作を説明する。
【０１２７】
上記方法でサンプルホ−ルドされた信号は、輝度マトリクス回路４２０２およびＲＧＢマトリクス回路４２０４に入力される。輝度マトリクス回路４２０２およびＲＧＢマトリクス回路４２０４により、上記（２６）の演算式に従ってｙ、ｒ、ｇ、ｂ信号が生成される。ＲＧＢマトリクス回路４２０４で生成された信号は、ホワイトバランス回路４２０５に入力され、前述のホワイトバランス補正を施され、Ｙｃマトリクス回路４２０６に入力される。Ｙｃマトリクス回路４２０６は、以下に示すマトリクス演算式によりＢ信号成分のみの信号ｙｂを生成する。
【０１２８】
ｙｂ＝０＊ｒ＋０＊ｇ＋１＊ｂ  ・・・（３１）
以上の動作によって得られた信号から、以下に示す演算式によってＢ信号を得ることができる。
【０１２９】
Ｂ＝ｙ＋（ｙｂｌ−ｙｌ）・・・（３２）
＝ｙｈ＋ｂｌ
ここでｙｂｌ、ｂｌはそれぞれｙｂ、ｂ信号の低域成分である。
【０１３０】
上述したように信号処理回路４１１４は、ＲＧＢ信号を生成する場合、Ｒ信号、Ｇ信号、Ｂ信号を、それぞれ個別に生成しなければならない。そこで、メモリ４１０８は、同じ信号を３回出力して１回目はＲ信号生成、２回目はＧ信号生成と、面順次でＲＧＢ信号を生成する。
【０１３１】
以上はフレーム情報を損なわずに静止画を記録する（Ｆｕｌｌモ−ドと呼ぶ）実施例であり、次に、画質の劣化を伴うが、少ないメモリ容量で静止画を記録する（Ｅｃｏｎｏｍｙモードと呼ぶ）実施例を以下に説明する。
【０１３２】
撮像素子４１０４は、上述した一般的な画素混合読み出しによって信号を出力する。撮像素子４１０４から出力された図３に示す信号は、上述したＦｕｌｌモ−ド撮影時と同様にして、メモリ４１０８に記録される。ただし、本方法で記録された信号は、Ｆｕｌｌモードとは信号のフォーマットが異なる。よって、ＲＧＢ信号を生成する際に、Ｆｕｌｌモードで記録された信号か、あるいはＥｃｏｎｏｍｙモ−ドで記録された信号かを示す識別信号が必要である。この識別信号は、ホワイトバランス等の情報と併せて記録する。
【０１３３】
次に、Ｅｃｏｎｏｍｙモ−ドで記録された信号を出力する動作を説明する。
【０１３４】
メモリ４１０８に記録された信号は、ＦｕｌｌモードのＲＧＢ信号出力と同様に信号処理回路４１１４に入力され、ホワイトバランスなどの情報をもとにしてＲＧＢ信号を生成する。ただし、上述したように信号のフォーマットが、Ｆｕｌｌモードとは異なるので、ＲＧＢマトリクス回路４２０４のマトリクス係数を変更する必要がある。この時の信号フォ−マットは、動画時の信号フォーマットと同じなので、上記（２０）（２１）（２５）（２６）（２７）（２８）（２９）（３０）式に示すマトリクス演算により上述した方法でＲ信号、Ｇ信号、Ｂ信号を生成すればよい。信号処理回路４１１４で生成されたＲ、Ｇ、Ｂ信号は、おのおの信号処理回路４１１４内の信号補間回路４１１６に入力され、信号補間回路４１１６において信号補間を行い、水平方向の信号数を１／２にして出力される。
【０１３５】
以下に、信号補間について説明する。
【０１３６】
図１４は、信号補間回路４１１６の具体例である。上述した動画撮影時、およびＦｕｌｌモード撮影時には、信号補間の必要がないので、補間係数入力Ｋ１には１を、補間係数入力Ｋ２には０をそれぞれ設定し、信号補間を行なわずに出力する。
【０１３７】
上述したＥｃｏｎｏｍｙモードの場合は、信号補間を行ない水平方向の信号数を１／２にする。
【０１３８】
この時、撮像素子４１０４は、画素混合方式によって信号を出力したので、前述のＦｕｌｌモードによる記録方法と比較して、メモリに記録する静止画１枚当たりの信号数が１／２になる。よって、２倍の枚数の静止画を記録することができる。
【０１３９】
上記したＦｕｌｌモード、Ｅｃｏｎｏｍｙモードの、２通りの静止画記録方法の選択には、Ｆｕｌｌ／Ｅｃｏｎｏｍｙ切り換えスイッチ４１１９を用いる。Ｆｕｌｌ／Ｅｃｏｎｏｍｙ切り換えスイッチ４１１９が選択しているモードに応じ
、マトリクス演算式の選択、撮像素子４１０４の駆動方法、及び、メモリ４１０８の駆動方法等を選択する。また、Ｆｕｌｌ／Ｅｃｏｎｏｍｙ切り換えスイッチ４１１９の操作に応じて、ビューファインダ４１１８は、どちらの記録方式を選択しているかを表示すると共に、現在選択されている記録方式であと何枚分の静止画を記録することができるかを表示する。
【０１４０】
以下、本発明の別の実施例を図を用いて説明する。
【０１４１】
図１２は本発明の別の実施例に係る撮像装置の構成図である。
【０１４２】
同図において前述の実施例と異なる点は、メモリ２５４に信号処理回路２５１の出力信号を記録するように構成したことである。本実施例において、動画を撮影する動作は、前述の実施例と全く同様であるので、静止画をＦｕｌｌモードで記録する場合の動作を説明する。
【０１４３】
前述の実施例と同様に、撮像素子１０４からは、独立読み出しで信号を出力する。撮像素子１０４から出力された信号は、Ａ／Ｄ変換器１０７によりディジタル信号に変換され、メモリ２５４に入力される。メモリ２５４は、静止画１枚分の信号を記録し、その信号を選択回路１１３を介して信号処理回路２５１内のカメラ信号処理回路２５２に出力する。カメラ信号処理回路２５２は、入力された信号を、輝度信号あるいは色差信号生成経路のいずれか１経路を利用してスル−で出力する。例えば、サンプリング回路４２０１は入力信号をそのままＳ１に出力し、輝度マトリクス回路４２０２はＳ１に１を乗じた信号とＳ２〜Ｓ４に０を乗じた信号を加算し、輝度信号処理回路４２０３は輝度マトリクス回路４２０２の出力信号をそのまま出力する。カメラ信号処理回路２５２から出力された信号は、信号補間回路２５３に入力されるが、上述したように補間を行なわずに信号を出力する。信号処理回路２５１から出力された信号は、メモリ２５４に記録される。
【０１４４】
上記方法によりメモリ２５４に記録された信号のフォーマットは、前述の実施例におけるＦｕｌｌモードと全く同じものであり、静止画出力時の動作は、前述の実施例と同様である。
【０１４５】
次に、画質の劣化を伴うが、更に少ないメモリ容量で静止画を記録する方法（Ｅｃｏｎｏｍｙモード）を以下に説明する。
【０１４６】
撮像素子１０４は、上述した一般的な画素混合読み出しによって、信号を出力する。撮像素子１０４から出力された信号は、Ｆｕｌｌモード撮影時と同様にメモリ２５４に一旦記録し、その信号を信号処理回路２５１に出力する。信号処理回路２５１に入力された信号は、上述のＦｕｌｌモ−ド撮影時と同様に、入力された信号をそのまま信号補間回路２５３に出力する。信号補間回路２５３は、入力された信号に信号補間を行なう。しかしこの場合には、入力信号の隣合った信号成分が異なるので、前述の実施例におけるＥｃｏｎｏｍｙモードで行なった方法による信号補間ができない。図３８は、本実施例における信号補間回路２５３の具体的な構成例である。Ｇｒ＋Ｃｙ、Ｍｇ＋Ｙｅ・・・あるいはＭｇ＋Ｃｙ、Ｇｒ＋Ｙｅ・・・の順に入力される信号を、分離回路３８０１でＧｒ＋ＣｙとＭｇ＋ＹｅあるいはＭｇ＋ＣｙとＧｒ＋Ｙｅに分別し、２系統の補間回路で各々の信号を補間する。信号補間回路２５３により補間された信号は、メモリ２５４に記録される。
【０１４７】
上記方法によりメモリ２５４に記録された信号のフォーマットは、前述の実施例におけるＥｃｏｎｏｍｙモード記録時の水平方向のデータ数を１／２としたものである。よって、ＲＧＢ信号を生成するマトリクス係数は、上述した実施例において、Ｅｃｏｎｏｍｙモード時に用いたマトリクス係数を用いることができ、静止画出力時の動作は、前述の実施例のＥｃｏｎｏｍｙモードと同様である。
【０１４８】
この時、メモリ２５４に記録される信号は、撮像素子１０４から画素混合方式によって信号を出力したので、垂直方向のデ−タ数が１／２になり、更に信号補間回路２５３で水平方向の信号数を１／２としたので、前述のＦｕｌｌモードによる記録方法と比較して、１／４に圧縮されたこととなる。本方法によれば、Ｆｕｌｌモード記録時の４倍の枚数の静止画を記録することができる。
【０１４９】
上記したＦｕｌｌモード、Ｅｃｏｎｏｍｙモードの選択には、Ｆｕｌｌ／Ｅｃｏｎｏｍｙ切り換えスイッチ１１７を用いる。Ｆｕｌｌ／Ｅｃｏｎｏｍｙ切り換えスイッチ１１７が選択しているモードに応じ、上述した記録方法のどちらか一方を選択する。また、Ｆｕｌｌ／Ｅｃｏｎｏｍｙ切り換えスイッチ１１７の操作に応じて、ビューファインダ１１６は、どちらの記録方式を選択しているかを表示すると共に、現在選択されている記録方式で、あと何枚分の静止画を記録することができるかを表示する。
【０１５０】
以下、生成したＲＧＢ信号を出力するデータフォーマットについて説明する。
【０１５１】
上述の実施例で示した信号処理回路は、図４４（ａ）に示すように面順次に生成したＲ信号、Ｇ信号、Ｂ信号を、データ構成が深さ方向に各々複数ビット（例えば８ビット）のパラレルデータで出力する。上記信号出力を、図４４（ｂ）に示すように１ｂｉｔのシリアルデータで出力することも可能であり、メモリ２５４に記録された信号を１ｂｉｔずつ出力し、１ｂｉｔずつＲ信号、Ｇ信号、Ｂ信号を生成することで実現できる。
【図面の簡単な説明】
【０１５２】
【図１】本発明の一実施例を示すブロック図である。
【図２】撮像素子の構成図である。
【図３】撮像素子の駆動パルスとその出力である。
【図４】撮像素子の駆動パルスとその出力である。
【図５】信号処理回路の構成図である。
【図６】マトリクス回路の具体例である。
【図７】動画撮像時の信号処理の具体例である。
【図８】動画撮像時の信号処理の具体例である。
【図９】静止画撮像時の信号処理の具体例である。
【図１０】静止画撮像時の信号処理の具体例である。
【図１１】サンプリング回路の具体例である。
【図１２】本発明の別の実施例を示すブロック図である。
【図１３】図１２に示す実施例の説明図である。
【図１４】図２６に示す実施例の説明図である。
【図１５】シャッタ制御回路の構成図である。
【図１６】シャッタの絞り値に対する露光量を表わすグラフである。
【図１７】シャッタの絞り値に対する露光量を表わすグラフである。
【図１８】シャッタの絞り値に対する露光量を表わすグラフである。
【図１９】シャッタの絞り値に対する露光量を表わすグラフである。
【図２０】シャッタの絞り値に対する露光量を表わすグラフである。
【図２１】シャッタの絞り値に対する露光量を表わすグラフである。
【図２２】ホワイトバランス回路の構成図である。
【図２３】信号出力の具体例である。
【図２４】信号出力の具体例である。
【図２５】信号出力の具体例である。
【図２６】本発明の実施例を示すブロック図である。
【図２７】本発明の実施例に係る撮像素子の構成図である
【図２８】本発明の実施例に係る信号の空間分布図である。
【図２９】本発明の実施例に係る撮像素子の出力信号のタイミングチャートである。
【図３０】本発明の実施例に係る信号の空間分布図である。
【図３１】本発明の実施例に係る独立読み出し時の信号フォーマット図である。
【図３２】本発明の実施例に係る非線形入出力特性を示した図である。
【図３３】本発明の実施例に係る非線形入出力特性を示した図である。
【図３４】本発明の実施例に係る画素混合読み出し時の信号フォーマット図である。
【図３５】本発明の実施例に係る信号の空間分布図である。
【図３６】本発明の実施例に係る撮像装置の構成を示すブロック図である。
【図３７】本発明の実施例に係る信号の空間分布図である。
【図３８】本発明の実施例に係る信号補間回路の構成を示すブロック図である。
【図３９】本発明の実施例に係る画素混合読み出し時の信号フォーマット図である。
【図４０】本発明の実施例に係る信号の空間分布図である。
【図４１】本発明の実施例を示すブロック図である。
【図４２】本発明の実施例に係るカメラ信号処理回路の構成を示すブロック図である。
【図４３】本発明の実施例に係る輝度マトリクス回路の構成を示すブロック図である。
【図４４】本発明の実施例に係る信号出力方法を示した図である。
【符号の説明】
【０１５３】
１０１…レンズ、
１０２…シャッタ、
１０３…シャッタ制御回路、
１０４…撮像素子、
１０５…駆動回路、
１０６…アンプ、
１０７…Ａ／Ｄ変換器、
１０８…メモリ、
１０９…メモリ制御回路、
１１０…記録／再生制御回路、
１１１…シャッタボタン、
１１２…再生ボタン、
１１３…選択回路、
１１４…信号処理回路、
１１５…信号処理制御回路、
１１６…ビューファインダ、
１１７…Ｆｕｌｌ／Ｅｃｏｎｏｍｙ切り換えスイッチ、
２０１…ホトダイオード、
２０２…垂直ＣＣＤ、
２０３…水平ＣＣＤ、
２１１…サンプリング回路、
２１２…輝度マトリクス回路、
２１３…輝度信号処理回路、
２１４…ＲＧＢマトリクス、
２１５…ホワイトバランス回路、
２１６…色差マトリクス、
２２１…乗算器、
２２２…乗算器、
２２３…乗算器、
２２４…乗算器、
２２５…加算器、
２２６…マトリクス変換後出力、
２４１…サンプルホールド回路、
２４２…サンプルホールド回路、
２５１…信号処理回路、
２５２…カメラ信号処理回路、
２５３…信号補間回路、
４０１…遅延回路、
４０２…乗算器、
４０３…乗算器、
４０４…加算器、
３００…検波回路、
３０１…演算回路、
３０２…シャッタ駆動回路、
３０３…Ｒ−アンプ、
３０４…Ｂ−アンプ、
３０５…利得制御回路、
３０６…Ｒ−Ｙ検波回路、
３０７…Ｂ−Ｙ検波回路、
３０８…順次化回路、
２６０１…レンズ、
２６０２…シャッタ、
２６０３…シャッタ制御回路、
２６０４…撮像素子、
２６０５…駆動回路、
２６０６…アンプ、
２６０７…Ａ／Ｄ変換器、
２６０８…メモリ、
２６０９…バッファメモリ、
２６１０…メインメモリ、
２６１１…メモリ制御回路、
２６１２…記録／再生制御回路、
２６１３…選択回路、
２６１４…信号処理回路、
２６１５…カメラ信号処理回路、
２６１６…信号補間回路、
２６１７…信号処理制御回路、
２６１８…シャッタボタン、
２６１９…Ｆｕｌｌ／Ｅｃｏｎｏｍｙ切り換えボタン、
２６２０…表示装置、
２７０１…ホトダイオード、
２７０２…垂直ＣＣＤ、
２７０３…水平ＣＣＤ、
３６０１…レンズ、
３６０２…シャッタ、
３６０３…シャッタ制御回路、
３６０４…撮像素子、
３６０５…駆動回路、
３６０６…アンプ、
３６０７…Ａ／Ｄ変換器、
３６０８…メモリ、
３６０９…バッファメモリ、
３６１０…メインメモリ、
３６１１…メモリ制御回路、
３６１２…記録／再生制御回路、
３６１３…選択回路、
３６１４…信号処理回路、
３６１５…カメラ信号処理回路、
３６１６…信号補間回路、
３６１７…信号処理制御回路、
３６１８…シャッタボタン、
３６１９…Ｆｕｌｌ／Ｅｃｏｎｏｍｙ切り換えボタン、
３６２０…表示装置、
３８０１…分離回路、
３８０２…遅延回路、
３８０３…遅延回路、
３８０４…乗算器、
３８０５…乗算器、
３８０６…乗算器、
３８０７…乗算器、
３８０８…加算器、
３８０９…加算器、
３８１０…マルチプレクサ、
４１０１…レンズ、
４１０２…シャッタ、
４１０３…シャッタ制御回路、
４１０４…撮像素子、
４１０５…駆動回路、
４１０６…アンプ、
４１０７…Ａ／Ｄ変換器、
４１０８…メモリ、
４１０９…メモリ制御回路、
４１１０…記録／再生制御回路、
４１１１…シャッタボタン、
４１１２…再生ボタン、
４１１３…選択回路、
４１１４…信号処理回路、
４１１５…カメラ信号処理回路、
４１１６…信号補間回路、
４１１７…信号処理制御回路、
４１１８…ビューファインダ、
４１１９…Ｆｕｌｌ／Ｅｃｏｎｏｍｙ切り換えスイッチ、
４２０１…サンプリング回路、
４２０２…輝度マトリクス回路、
４２０３…輝度信号処理回路、
４２０４…ＲＧＢマトリクス回路、
４２０５…ホワイトバランス回路、
４２０６…Ｙｃマトリクス回路、
４２０７…色差マトリクス回路、
４３０１…増幅器、
４３０２…マトリクス回路、
４３０３…減算器、
４３０４…ローパスフィルタ、
４３０５…加算器。
【図１】
2004357333.tif 000003
【図２】
2004357333.tif 000004
【図３】
2004357333.tif 000005
【図４】
2004357333.tif 000006
【図５】
2004357333.tif 000007
【図６】
2004357333.tif 000008
【図７】
2004357333.tif 000009
【図８】
2004357333.tif 000010
【図９】
2004357333.tif 000011
【図１０】
2004357333.tif 000012
【図１１】
2004357333.tif 000013
【図１２】
2004357333.tif 000014
【図１３】
2004357333.tif 000015
【図１４】
2004357333.tif 000016
【図１５】
2004357333.tif 000017
【図１６】
2004357333.tif 000018
【図１７】
2004357333.tif 000019
【図１８】
2004357333.tif 000020
【図１９】
2004357333.tif 000021
【図２０】
2004357333.tif 000022
【図２１】
2004357333.tif 000023
【図２２】
2004357333.tif 000024
【図２３】
2004357333.tif 000025
【図２４】
2004357333.tif 000026
【図２５】
2004357333.tif 000027
【図２６】
2004357333.tif 000028
【図２７】
2004357333.tif 000029
【図２８】
2004357333.tif 000030
【図２９】
2004357333.tif 000031
【図３０】
2004357333.tif 000032
【図３１】
2004357333.tif 000033
【図３２】
2004357333.tif 000034
【図３３】
2004357333.tif 000035
【図３４】
2004357333.tif 000036
【図３５】
2004357333.tif 000037
【図３６】
2004357333.tif 000038
【図３７】
2004357333.tif 000039
【図３８】
2004357333.tif 000040
【図３９】
2004357333.tif 000041
【図４０】
2004357333.tif 000042
【図４１】
2004357333.tif 000043
【図４２】
2004357333.tif 000044
【図４３】
2004357333.tif 000045
【図４４】
2004357333.tif 000046
【手続補正書】
【提出日】平成16年8月31日(2004.8.31)
【手続補正１】
【補正対象書類名】特許請求の範囲
【補正対象項目名】全文
【補正方法】変更
【補正の内容】
【特許請求の範囲】
【請求項１】
入射光を光電変換する撮像手段と、
該撮像手段の出力信号に対して、信号補間することにより垂直方向と水平方向とのアスペクト比を変え、信号処理して、所定のフォーマットのディジタル映像信号を生成して出力する信号処理手段と、
を備えることを特徴とする撮像装置。
【請求項２】
請求項１において、
該所定のフォーマットのディジタル映像信号と該所定のフォーマットに合った識別信号とを記録する記録手段を備えること
を特徴とする撮像装置。
【請求項３】
請求項２において、
該信号処理手段は、該信号補間により、垂直方向および水平方向の信号数が異なるフォーマットのディジタル映像信号を生成し、
該記録手段は、該垂直方向および水平方向の信号数が異なるフォーマットのディジタル映像信号に対して、異なる識別信号を記録すること、
を特徴とする撮像装置。